(57)【要約】【課題】複数の素材情報が組み合わされて構成され配信されて来る動画像等を、安価、効率的且つ利便性を向上させて取得して再生することが可能な情報再生装置等を提供する。【解決手段】時間的に並列の関係にある内容を夫々に有する暗号化された素材情報を複数含んで構成された上で放送された放送情報が記録されているハードディスクから当該放送情報を再生する情報再生装置において、暗号化されている素材情報の当該暗号化を解読するための解読情報であって、各素材情報毎に予め定められている解読情報を記録すると共に、記録されている解読情報を用いて各素材情報毎に当該素材情報における暗号化を解読する権利管理保護部９と、解読された素材情報を再生するデコーダ（４、５、６）と、を備える。【選択図】　　　図２
2004063001.tif 000002
【特許請求の範囲】
【請求項１】
時間的に並列の関係にある内容を夫々に有する暗号化された素材情報を複数含む記録情報が記録された記録部から当該記録情報を再生する情報再生装置において、
各前記素材情報の暗号化を解読するための解読情報であって各前記素材情報毎に設定されている解読情報を取得する取得手段と、
前記取得した解読情報に基づいて、当該取得した解読情報に対応する前記素材情報の暗号化を解読する解読手段と、
を備えることを特徴とする情報再生装置。
【請求項２】
請求項１に記載の情報再生装置において、
前記素材情報は、予め設定された情報量を有する複数の単位素材情報により構成されており、
前記解読情報は、ライセンス情報と、前記ライセンス情報により解読可能な前記単位素材情報を識別するための識別情報と、を含むことを特徴とする情報再生装置。
【請求項３】
請求項１に記載の情報再生装置において、
前記素材情報は、予め設定された情報量を有する複数の単位素材情報により構成される単位素材情報群からなり、
前記解読情報は、ライセンス情報と、前記ライセンス情報により解読可能な前記単位素材情報群を識別するための識別情報と、を含むことを特徴とする情報再生装置。
【請求項４】
請求項１に記載の情報再生装置において、
前記解読情報は、ライセンス情報と、当該ライセンス情報により解読可能な前記素材情報を識別するための識別情報と、を含むことを特徴とする情報再生装置。
【請求項５】
請求項２から４のいずれか一項に記載の情報再生装置において、
前記記録部は、前記記録情報を記録する第１の記録媒体と、前記ライセンス情報を不正使用不能に記録する第２の記録媒体と、を含んでおり、
前記解読情報は、前記第２の記録媒体内における前記ライセンス情報の記録位置を示す位置情報を更に含むことを特徴とする情報再生装置。
【請求項６】
請求項５に記載の情報再生装置において、
前記位置情報が暗号化されて前記記録部内に記録されていると共に、当該位置情報を解読するための位置情報解読情報が前記第２の記録媒体内に記録されており、
前記取得手段は、前記位置情報解読情報に基づいて前記位置情報の解読を行い、当該解読した位置情報に基づいて前記第２の記録媒体から前記ライセンス情報を取得することを特徴とする情報再生装置。
【請求項７】
時間的に並列の関係にある内容を夫々に有する暗号化された素材情報を複数含む記録情報が記録された記録媒体から当該記録情報を再生する情報再生方法において、
各前記素材情報の暗号化を解読するための解読情報であって各前記素材情報毎に設定されている解読情報を取得する取得工程と、
前記取得した解読情報に基づいて、当該取得した解読情報に対応する前記素材情報の暗号化を解読する解読工程と、
を備えることを特徴とする情報再生方法。
【請求項８】
時間的に並列の関係にある内容を夫々に有する暗号化された素材情報を複数含む記録情報が記録された記録媒体から当該記録情報を再生する情報再生装置に含まれるコンピュータを、
各前記素材情報の暗号化を解読するための解読情報であって各前記素材情報毎に設定されている解読情報を取得する取得手段、及び、
前記取得した解読情報に基づいて、当該取得した解読情報に対応する前記素材情報の暗号化を解読する解読手段、
として機能させることを特徴とする情報再生用プログラム。
【請求項９】
請求項８に記載の情報再生用プログラムが前記コンピュータで読取可能に記録されていることを特徴とする情報記録媒体。
【発明の詳細な説明】
【０００１】
【発明の属する技術分野】
本発明は、情報再生装置、情報再生方法、情報再生用プログラム及び当該情報再生用プログラムを記録した情報録媒体の技術分野に属し、より詳細には、時間的に並列の関係にある内容を夫々に有する暗号化された素材情報を複数含んで放送されている放送情報を取得して再生する情報再生装置及び情報再生方法、並びに情報再生用プログラム及び当該情報再生用プログラムを記録した情報録媒体の技術分野に属する。
【０００２】
【従来の技術】
近年、インターネット等のネットワークを介して映画等の動画像や音楽を配信し、これを例えばパーソナルコンピュータ内に蓄積記憶した後に視聴することが一般化しつつある。
【０００３】
一方、当該配信される動画像等については、いわゆる著作権による保護が為されている場合が多い。このとき、当該著作権による保護方法の第一の例としては、当該配信する動画像等に対して暗号化処理を施した上で配信先のパーソナルコンピュータ等に配信し、これと並行して当該暗号化処理による暗号化を解読するための解読情報（一般には、解読キーと呼ばれる場合が多い）を別ルートにて外部への漏洩の無いように同じ配信先に有償にて配布し、その配信先において、配信されてきた動画像等を配布された解読情報を用いて解読した上で視聴する方法があった。
【０００４】
また、保護方法の第二の例としては、配信元と配信先の間においてお互いを認証しあった後に上記暗号化された動画像等の配信を行う場合に、一回の認証が有効な期間内に配信される上記動画像等について当該動画像等の暗号化を解読するための解読情報を別途外部への漏洩の無いように有償にて配布し、配信先において、配布された解読情報を用いてその認証の有効期間中に配信されてきた動画像等を解読した上で視聴する方法があった。
【０００５】
ここで、これらの保護方法において、暗号化されて配信される動画像等と、これを解読するための解読情報との対応付けについては、上記第一の例の場合は、一の動画像等（具体的には、一の映画等）の全体について一の解読情報が対応付けられ、この一の解読情報が取得できれば一の動画像等全体が解読できることとなる場合が多い。また、上記第二の例の場合は、一回の認証有効期間中に配信される動画像等の全体について一の解読情報が対応付けられ、この一の解読情報が取得できればその認証期間中に配信されてきた動画像等が全て解読できるように構成される場合もある。
【０００６】
更に、動画像等全体をその内容に応じて時間軸上で複数の部分動画像等に分割し、その分割動画像等毎に一の解読情報を対応付け、一の部分動画像等の暗号化を解読する場合には、その一の部分動画像等に対応する解読情報を取得して用いる場合もある。
【０００７】
他方、近年においては、上記配信される動画像等の内容につき、一のストーリに同時並行的に対応する複数の動画像等（以下、当該複数の動画像等の夫々を素材情報と称する）が動画像等内に含まれて配信される場合がある。より具体的には、例えば、一の映画に対応する動画像等において、その映画の場面全体を俯瞰する主たる素材情報以外に、その場面に出演している男優の視線から見たその場面に対応する動画像等よりなる素材情報と、その場面に同時に出演している女優の視線から見たその場面に対応する動画像等よりなる素材情報と、が含まれて配信される場合がある。このとき、上記した時間軸上では夫々別個の部分動画像等が、夫々に、同時並行的に対応する複数の素材情報により構成されている場合もあり得る。
【０００８】
【発明が解決しようとする課題】
しかしながら、上述した従来の著作権の保護方法では、いずれの場合も、配信される動画像等全体又は時間軸上で分割された部分動画像等全体に対して一の解読情報が対応付けられているのみであり、当該動画像等又は部分動画像等を構成する素材情報毎に解読情報が対応付けられていることはなかった。
【０００９】
そして、この場合には、例えば各素材情報が一の映画に対応した相互に異なる言語の字幕のための字幕情報を夫々に含むものであるとき、その映画を視聴する使用者としては例えば日本語の字幕のみを見ようとする場合であっても他の言語の字幕を含む素材情報の暗号化を解読するための解読情報までも取得する必要があり、その日本語の字幕を含む素材情報の暗号化を解読するための解読情報のみを取得する場合に比してその取得のための費用が倍増してしまうという問題点があった。
【００１０】
また、上記の例において、複数種類の言語に夫々対応する字幕を含む素材情報の暗号化を解読するための解読情報を一括して取得する必要があっため、上記使用者として、視聴したい字幕を逐次増やして配信される映画を楽しむといった選択肢を取り得ないという問題点もあった。
【００１１】
そこで、本発明は、上記の問題点に鑑みて為されたもので、その課題の一例は、例えば、複数の素材情報が組み合わされて構成され配信されて来る動画像等を、安価、効率的且つ利便性を向上させて取得して再生することが可能な情報再生装置及び情報再生方法、並びに情報再生用プログラム及び当該情報再生用プログラムを記録した情報録媒体を提供することにある。
【００１２】
【課題を解決するための手段】
上記の課題を解決するために、請求項１に記載の発明は、時間的に並列の関係にある内容を夫々に有する暗号化された素材情報を複数含む記録情報が記録された記録部から当該記録情報を再生する情報再生装置において、各前記素材情報の暗号化を解読するための解読情報であって各前記素材情報毎に設定されている解読情報を取得する取得手段と、前記取得した解読情報に基づいて、当該取得した解読情報に対応する前記素材情報の暗号化を解読する解読手段と、を備える。
【００１３】
上記の課題を解決するために、請求項７に記載の発明は、時間的に並列の関係にある内容を夫々に有する暗号化された素材情報を複数含む記録情報が記録された記録媒体から当該記録情報を再生する情報再生方法において、各前記素材情報の暗号化を解読するための解読情報であって各前記素材情報毎に設定されている解読情報を取得する取得工程と、前記取得した解読情報に基づいて、当該取得した解読情報に対応する前記素材情報の暗号化を解読する解読工程と、を備える。
【００１４】
上記の課題を解決するために、請求項８に記載の発明は、時間的に並列の関係にある内容を夫々に有する暗号化された素材情報を複数含む記録情報が記録された記録媒体から当該記録情報を再生する情報再生装置に含まれるコンピュータを、各前記素材情報の暗号化を解読するための解読情報であって各前記素材情報毎に設定されている解読情報を取得する取得手段、及び、前記取得した解読情報に基づいて、当該取得した解読情報に対応する前記素材情報の暗号化を解読する解読手段、として機能させる。
【００１５】
上記の課題を解決するために、請求項９に記載の発明は、請求項８に記載の情報再生用プログラムが前記コンピュータで読取可能に記録されている。
【００１６】
【発明の実施の形態】
次に、本発明に好適な実施の形態について、図面に基づいて説明する。
【００１７】
なお、以下に説明する実施の形態は、後述する情報記録再生装置から取り外して持ち運びが可能であると共に著作権保護のための処理が為された保護チップを含むハードディスクドライブ装置内のハードディスクに対して、インターネット等のネットワークを介して暗号化された上で配信されるＡＶ（Ａｕｄｉｏ　　Ｖｉｓｕａｌ）情報（音楽情報、動画像情報又はデータ放送のためのデータ情報等を含む）であって上記した動画像等であるＡＶ情報を記録する記録処理と、当該記録されたＡＶ情報を当該ハードディスクから再生する再生処理と、が共に可能とされている当該情報記録再生装置に対して本発明を適用した場合の実施の形態である。
【００１８】
ここで、上記保護チップにおける著作権保護のための処理とは、具体的には、予め定められている特定の読み出し命令を用いた場合のみ当該保護チップ内に格納されている情報を読み出すことが可能とされている処理を言う。
【００１９】
また、以下の説明において、上記ＡＶ情報は、動画像の圧縮技術に関する規格として周知のＭＰＥＧ（Ｍｏｔｉｏｎ　Ｐｉｃｔｕｒｅ　　Ｅｘｐｅｒｔｓ　Ｇｒｏｕｐ）２規格におけるトランスポートストリーム（Ｔｒａｎｓｐｏｒｔ　　Ｓｔｒｅａｍ）規格に則って配信されるものとする。
【００２０】
更に、当該配信されるＡＶ情報は、上記した素材情報（以下、当該素材情報を適宜コンテンツと称する）を複数含んで構成されているものとし、当該素材情報毎に相互に独立して暗号化された上で配信されるものとする。このとき、当該ＡＶ情報が上記トランスポートストリーム規格に則って配信されることから、各素材情報は、複数の単位素材情報としてのパケット（いわゆるＴＳ（Ｔｒａｎｓｐｏｒｔ　　Ｓｔｒｅａｍ）パケット）に分割された上で配信されることとなる。
【００２１】
（Ｉ）記録フォーマットの実施形態
初めに、実施形態に係る情報記録再生装置について具体的に説明する前に、当該情報記録再生装置により上記ハードディスクに対して上記ＡＶ情報を記録する際に用いられる論理的な記録フォーマット（以下、単に論理フォーマットと称する）の概要について、図１を用いて説明する。なお、図１は、当該ＡＶ情報が当該論理フォーマットに基づいてハードディスクに記録された後の当該論理フォーマットを、階層的且つ模式的に示す図である。
【００２２】
また、当該論理フォーマットに則って実施形態のＡＶ情報を上記ハードディスクに記録する際に用いられる物理的な記録フォーマットについては、以下に説明するライセンス管理情報ＣＩＦ及びライセンス情報（以下、適宜ライセンス情報等と称する）を除き、上記ハードディスクに用いられている周知の物理フォーマットがそのまま用いられる。また、当該ライセンス情報等は、物理的には上記保護チップ内に記録されている。
【００２３】
先ず、記録されているＡＶ情報の内容及び記録態様を効率的に管理するべく当該記録フォーマットにおいて採用されている種々の概念について、その概要を説明する。
【００２４】
第一に、以下の記録フォーマットにおいては、ハードディスク上に記録されているＡＶ情報を取り扱う際の単位として、「プログラム」なる概念が用いられている。すなわち、プログラムとは、時間的に連続してハードディスクに既に記録された一のＡＶ情報をいう。
【００２５】
ここで、配信されて来るＡＶ情報がアナログ情報である場合、例えばテレビジョン放送における一の番組を連続して記録した場合にはその一の番組がハードディスク上における一のプログラムとなり、その番組の一部分だけを連続して記録した場合にはその連続して記録した部分のみが一のプログラムとなり、更に複数の番組を同時に連続して記録したときはその連続して記録した複数の番組全てが一のプログラムとなる。一方、当該ＡＶ情報がデジタル情報である場合、例えば、そのＡＶ情報がＢＳ（Ｂｒｏａｄｃａｓｔ　　Ｓａｔｅｌｌｉｔｅ）デジタル放送として配信されるものである場合には、当該ＢＳデジタル放送における一のいわゆるイベントが一のプログラムとなるように定義されている。
【００２６】
第二に、以下の記録フォーマットにおいては、一旦記録したＡＶ情報を使用者（記録したＡＶ情報を視聴する使用者）が自在に編集して新たなプログラムを論理的に作成するために、「プログラムリスト」なる概念が用いられている。すなわち、プログラムリストとは、一のプログラム全体又はその一部を特定して他のプログラム又は他の一部から区別するための指示情報（一般には、ポインタとも称される）の集合としてのリストであり、このプログラムリスト毎に当該プログラムリストに含まれているＡＶ情報の内容を代表する代表画像（以下、サムネイル画像と称する）を定義することができることとされている。
【００２７】
従って、例えば、記録されている一のプログラムの一部と他のプログラムの一部とをこの順番で連続して再生するように使用者が編集する場合には、当該一のプログラムの一部を示す指示情報と当該他のプログラムの一部を示す指示情報とをこの順番で再生するように当該使用者自身が組み合わせて一のプログラムリストを作成することとなる。また、このプログラムリストの概念を採用することで、最初にハードディスクに記録されたＡＶ情報自体における記録順序等に変更を加えることなく、使用者の所望する再生態様によりＡＶ情報を再生することが可能となるのである。
【００２８】
ここで、プログラムリストには、上述したように使用者自らが記録後のＡＶ情報を参照しながら設定するプログラムリスト（使用者定義プログラムリスト）と、記録されるＡＶ情報を配信する配信業者（ベンダ又はプロバイダとも称される）が予め設定したプログラムリスト（ベンダ定義プログラムリスト）と、が定義されている。
【００２９】
更に、上述したサムネイル画像には、上記ベンダが予め設けた上でそのＡＶ情報と共に配信するベンダ定義サムネイル画像と、配信されて来たＡＶ情報をハードディスクに記録した後に使用者が新たに設ける使用者定義サムネイル画像と、が定義されている。
【００３０】
第三に、以下の記録フォーマットにおいては、使用者が所望する再生態様（より具体的には、使用者が特定したＡＶ情報又はその一部毎の再生順序）に基づいて作成した使用者定義プログラムリスト又はベンダ定義プログラムリストを複数含む集合体として、「プログラムセット」なる概念が用いられている。ここで、プログラムセットには、ハードディスクに最初に記録したＡＶ情報（プログラム）をその記録した順序のままで再生するために用いられる初期プログラムセット（当該初期プログラムセットに含まれるプログラムリストは上記ベンダ定義プログラムリストである。）と、上記使用者定義プログラムリストを含む使用者定義プログラムセットと、が定義されている。
【００３１】
第四に、以下の記録フォーマットにおいては、上述した指示情報の一種として、「インデックス」なる概念が用いられている。すなわち、インデックスとは、一のプログラム全体又はその一部を特定して他のプログラム又は他の一部から区別するための指示情報であって、使用者におけるＡＶ情報の取り扱いの容易性を向上させるために設けられているものである。このとき、インデックスには、上記配信業者が予め設けた上で配信するベンダ定義インデックスと、配信されて来たＡＶ情報をハードディスクに記録した後に使用者が新たに設ける使用者定義インデックスと、が定義されている。そして、ベンダ定義インデックスはインデックスファイルなる形態でＡＶ情報と共に配信され、一方、使用者定義インデックスは上記プログラムリストとして表現されるものである。
【００３２】
次に、上述してきた種々の概念に基づいて、実施形態に係る論理的な記録フォーマットについて説明する。
【００３３】
図１に示すように、必要なＡＶ情報が記録された後のハードディスク１上には、一の当該ハードディスク１に記録されているプログラム全体に関する管理情報であって記録されているＡＶ情報を再生する際に最初に参照されるマネージメント情報ＭＩと、上記した初期プログラムセットに関する管理情報である初期プログラムセット情報ＤＰＳＩと、上記したベンダ定義サムネイル画像に対応する画像情報が、その画像情報自体の名称により特定されて含まれているベンダ定義サムネイル画像情報ＤＦＴＮと、上記した使用者定義プログラムセットに関する管理情報である使用者定義プログラムセット管理情報ＵＤＰＭと、上記した使用者定義サムネイル画像に対応する画像情報が、その画像情報自体の名称により特定されて含まれている使用者定義サムネイル画像情報ＵＤＴＮと、上記したプログラム夫々に対応する管理情報であるプログラム情報ＰＩＦと、配信されハードディスク１に記録されているＡＶ情報の実体そのものであるＡＶストリーム情報ＡＶＤと、当該ＡＶ情報に含まれている一のＩピクチャ（Ｉｎｔｒａ−ｃｏｄｅｄ　　Ｐｉｃｔｕｒｅ）に対応する画像情報により構成される一のアクセスユニットにおける当該Ｉピクチャのハードディスク１上の記録位置を示すアドレス情報と、当該一のアクセスユニットとしてのＩピクチャの総情報量を示す情報と、を、各アクセスユニット毎に区分して含んでいるアクセスユニット参照情報ＡＣＵＲと、記録されているＡＶ情報における各素材情報についてのライセンス状況を管理するための情報であるライセンス管理情報ＣＩＦと、上記ベンダ定義インデックスＩＤＸと、サムネイル画像として用いられる画像ではあるが、上記したベンダ定義サムネイル画像又は使用者定義サムネイル画像のいずれでもない予備的な画像に対応する画像情報である予備サムネイル画像情報ＴＭＮと、ハードディスク１にＡＶ情報が記録された後に定義づけされた上記使用者定義プログラムセット（図１に示す場合はｎ個の使用者定義プログラムセットがあることを前提としている）夫々に関する管理情報である使用者定義プログラムセット情報ＵＤＩＦ１乃至ＵＤＩＦｎと、が記録されている。
【００３４】
次に、図１に示すように、本発明に係るライセンス管理情報ＣＩＦは、ハードディスク１に記録されているＡＶ情報を構成する各素材情報（当該各素材情報は上述したように相互に独立して暗号化されている）夫々に対応するライセンス識別子であって当該各素材情報を相互に別個に解読するときに用いられる複数のライセンス情報等（上記保護チップ内に格納される）夫々を識別するためのライセンス識別子ＬＥＲ１乃至ＬＥＲｎと、各ライセンス識別子ＬＥＲを纏めて管理するための管理情報ＧＩと、により構成されている。
【００３５】
なお、図１に示す場合は、ハードディスク１に記録されているＡＶ情報を構成する各素材情報を解読するためのライセンス情報夫々に対応するライセンス識別子ＬＥＲが、一の素材情報に対して一のライセンス識別子ＬＥＲが対応するようにしてｎ個だけライセンス管理情報ＣＩＦ内に格納されていることとなる。
【００３６】
また、上記ライセンス情報とは、暗号化された状態で記録されている各素材情報を、その再生時において解読するために用いられる解読鍵としての情報であり、後述するように上記ＡＶ情報そのものとは別個に購入・配布されて上記保護チップ内に格納されるものである。
【００３７】
次に、ライセンス識別子ＬＥＲ及び管理情報ＧＩの細部について図１を用いて説明する。なお、図２は、当該ライセンス識別子ＬＥＲ及び管理情報ＧＩ夫々の構成を例示する図である。
【００３８】
先ず、管理情報ＧＩ及び各ライセンス識別子ＬＥＲの細部構成について説明する。
【００３９】
図１に示すように、上記管理情報ＧＩは、各素材情報に対して施されている暗号化処理の方式を示す識別子である暗号識別子情報ＥＩＰと、当該暗号化処理を解読する際に用いられる解読鍵の情報量を示すキー長情報ＫＬと、当該管理情報ＧＩの管理下にあるライセンス識別子ＬＥＲの数を示すライセンス識別子数情報ＮＭと、により構成されている。
【００４０】
また、一のライセンス識別子ＬＥＲは、図１に示すように、当該ライセンス識別子ＬＥＲにより識別されるライセンス情報の上記保護チップ内における格納位置を示す位置情報等を含むライセンスパス情報ＬＰと、当該ライセンス情報を用いて解読される素材情報が記録されているハードディスク１上の領域（上記ＡＶストリーム情報ＡＶＤが記録されている当該ハードディスク１上の領域の一部である）の開始位置を示すライセンス有効範囲開始位置情報ＳＴと、当該ライセンス情報を用いて解読される素材情報が記録されているハードディスク１上の領域の終了位置を示すライセンス有効範囲終了位置情報ＥＮと、当該ライセンス情報を用いて解読される素材情報の種類を示す解読コンテンツ種類情報ＣＧと、当該ライセンス情報を用いて解読される素材情報に含まれている上記パケット（ＴＳパケット）の数を示す解読パケット数情報ＰＮと、当該ライセンス情報を用いて解読される素材情報に含まれている上記パケット夫々を識別するための解読パケット識別子ＰＩＤと、により構成されている。
【００４１】
（ＩＩ）情報記録再生装置の実施形態
次に、上述してきた論理フォーマットを前提としたＡＶ情報の記録・編集処理を行う情報記録再生装置の構成及び動作について説明する。
【００４２】
先ず、図２を用いて当該情報記録再生装置の全体構成及び概要動作について説明する。
【００４３】
図２に示すように、実施形態に係る情報記録再生装置Ｓは、アンテナＡＴ１及びＡＴ２と、デジタル放送受信部２と、デマルチプレクサ３と、ビデオデコーダ４と、再生手段としてのオーディオデコーダ５と、データデコーダ６と、デジタルインターフェース７と、取得手段としてのモデム部８と、解読手段としての権利管理保護部９と、マイコン１０と、アナログ放送受信部１１と、ビデオエンコーダ１２と、オーディオエンコーダ１３と、マルチプレクサ１４と、第２の記録媒体としての上記保護チップ１５Ａを含む記録部としてのハードディスクドライブ装置１５と、ＯＳＤ（Ｏｎ　Ｓｃｒｅｅｎ　Ｄｉｓｐｌａｙ）部１６と、グラフィックス部１７と、操作用のフロントパネル部１８と、により構成されている。
【００４４】
次に、動作を説明する。
【００４５】
先ず、外部から入力されてくる上記ＡＶ情報をハードディスクドライブ装置１５内の第１の記録媒体としてのハードディスク１に記録する記録処理の動作について説明する。
【００４６】
当該記録処理として、デジタル放送受信部２に接続されたアンテナＡＴ１は、放送局から放送されているデジタル放送の放送電波を受信し、当該受信した放送電波に対応する受信信号Ｓａｔ１を生成してデジタル放送受信部２へ出力する。
【００４７】
これにより、デジタル放送受信部２は、当該受信した受信信号Ｓａｔ１から受信が所望される放送に対応する受信信号Ｓａｔ１を抽出し、抽出信号Ｓｐｕとしてデマルチプレクサ３へ出力する。このとき、当該抽出信号Ｓｐｕには、上記ＡＶ情報を構成する暗号化された素材情報が、パケットに分割された形態で含まれていることとなる。
【００４８】
一方、デジタルインターフェース７は、上記ＡＶ情報を含んで外部から有線を介してデジタル的に送信されてくる送信情報Ｓｔｓを受信し、当該受信した送信情報Ｓｔｓから受信が所望される放送に対応する送信情報Ｓｔｓを抽出し、デマルチプレクサ３へ出力する。このとき、当該送信情報Ｓｔｓにも、当該送信情報Ｓｔｓを構成する暗号化された素材情報が、パケットに分割された形態で含まれていることとなる。
【００４９】
これらにより、デマルチプレクサ３は、デジタル放送受信部２から出力されてくる上記抽出信号Ｓｐｕ又はデジタルインターフェース７から出力されてくる上記送信情報Ｓｔｓに含まれている暗号化された各素材情報を、上記音楽情報、動画像情報及びデータ情報毎に夫々分離し、夫々の情報毎に素材情報Ｓｉｎとして権利管理保護部９を介してハードディスクドライブ装置１５内のハードディスク１に記録する。このとき、当該素材情報Ｓｉｎ内に含まれている上記音楽情報等は、図１に示すＡＶストリーム情報ＡＶＤとして記録され、上述したプログラムを構成することとなる。
【００５０】
他方、アナログ放送受信部１１に接続されたアンテナＡＴ２は、放送局から放送されているアナログ放送の放送電波を受信し、当該受信した放送電波に対応する受信信号Ｓａｔ２を生成してアナログ放送受信部１１へ出力する。
【００５１】
これにより、アナログ放送受信部１１は、当該受信した受信信号Ｓａｔ１から受信が所望される放送に対応する受信信号を抽出し、更に当該抽出した受信信号を音情報のみを含むアナログ音情報Ｓａａと、動画像及びこれに対応する音情報の双方を含むアナログ画像情報Ｓｖａと、に分離し、夫々にオーディオエンコーダ１３及びビデオエンコーダ１２へ出力する。
【００５２】
次に、オーディオエンコーダ１３は、入力されてくるアナログ音情報Ｓａａを上記ＭＰＥＧ２規格に則って符号化し、符号化音情報Ｓａｅを生成してマルチプレクサ１４へ出力する。また、ビデオエンコーダ１２は、入力されてくるアナログ画像情報Ｓｖａを上記ＭＰＥＧ２規格に則って符号化し、符号化画像情報Ｓｖｅを生成してマルチプレクサ１４へ出力する。
【００５３】
これらにより、マルチプレクサ１４は、入力されてくる符号化音情報Ｓａｅと符号化画像情報Ｓｖｅとを上記ＭＰＥＧ２規格に則って重畳し、マルチプレクサ情報Ｓｍｐｅｇを生成して権利管理保護部９に出力する。このとき、当該マルチプレクサ情報Ｓｍｐｅｇには、当該マルチプレクサ情報Ｓｍｐｅｇを構成する素材情報（アナログ放送の放送電波を受信する場合は一の素材情報のみによりマルチプレクサ情報Ｓｍｐｅｇが形成されている場合が多い）が、上記ＴＳパケットとは異なる態様でパケット化された形態で含まれている。また、当該マルチプレクサ情報Ｓｍｐｅｇの段階では、ＡＶ情報はアナログ放送から取得したＡＶ情報であるので暗号化はされていない。
【００５４】
そして、当該権利管理保護部９は、入力されてきたマルチプレクサ情報Ｓｍｐｅｇを暗号化し、更に上記デマルチプレクサ３から送信されてくる素材情報Ｓｉｎと同様にしてハードディスクドライブ装置１５内のハードディスク１に記録する。
【００５５】
次に、モデム部８は、ハードディスク１に記録されるＡＶ情報（素材情報Ｓｉｎ）の暗号化を解読するためのライセンス情報の発行元である外部のプロバイダ内に設置されているプロバイダサーバＳＶと有線回線を介して接続されており、当該プロバイダサーバＳＶから送信されてくる上記ライセンス管理情報ＣＩＦ及びこれに対応するライセンス情報自体を受信し、権利管理保護部９へ出力する。そして、権利管理保護部９は、当該ライセンス管理情報ＣＩＦ及びこれに対応するライセンス情報を保護チップ１５Ａ内に格納する。
【００５６】
なお、モデム部８を介して外部から取得されるライセンス管理情報ＣＩＦ及びこれに対応するライセンス情報は、上記デジタル放送受信部２又はデジタルインターフェース７を介して取得したＡＶ情報にのみ適用されるものである。これに対し、上記アナログ放送受信部１１を介して取得したＡＶ情報に適用されるライセンス情報ＣＩＦ及びこれに対応するライセンス情報は、当該権利管理保護部９において独自に生成されたものが保護チップ１５Ａに格納される。
【００５７】
これらの記録処理の動作において、マイコン１０は、制御信号Ｓｃ１及びＳｃ２を用い、権利管理保護部９及びハードディスクドライブ装置１５を一元管理する。
【００５８】
また、当該記録処理の動作を制御するために必要な入力操作はプロントパネル部１８において実行され、対応する操作信号Ｓｏｐが生成されてマイコン１０へ出力される。そして、マイコン１０は、当該操作信号Ｓｏｐに基づいて上記した一連の記録処理の動作を制御する。
【００５９】
更に、当該記録処理の動作において使用者に提示すべき提示情報は、表示信号Ｓｄｐとしてマイコン１０からフロントパネル部１８へ出力される。これにより、フロントパネル１８内の図示しないディスプレイ部又はスピーカ等を用いて当該提示情報が使用者に対して提示される。
【００６０】
次に、上述した記録処理の動作によりハードディスク１に記録されたＡＶ情報を素材毎に再生する再生処理の動作について説明する。
【００６１】
当該再生処理として、再生されるべきＡＶ情報の選択はフロントパネル部１８において実行され、対応する操作信号Ｓｏｐが生成されてマイコン１０へ出力される。
【００６２】
これにより、マイコン１０は、制御信号Ｓｃ２を用いてハードディスクドライブ装置１５を制御し、当該所望されるＡＶ情報をその素材情報毎にハードディスク１から検出し、検出情報Ｓｄｄとして権利管理保護部９へ出力する。このとき、当該素材情報は上記したパケットに分割された状態でパケット毎にパケット識別情報と共に出力される。
【００６３】
これと並行して、マイコン１０は、当該再生すべきＡＶ情報に対応するライセンス管理情報ＣＩＦ及びこれに対応するライセンス情報を保護チップ１５Ａから抽出し、権利管理保護部９へ出力する。
【００６４】
そして、権利管理保護部９は、後程詳述するように、ハードディスクドライブ装置１５から出力されてくる検出情報Ｓｄｄを構成する各パケットのうち、対応するライセンス管理情報ＣＩＦ及びこれに対応するライセンス情報により再生が許可されているパケットのみを含む素材情報に施されている暗号化を当該ライセンス管理情報ＣＩＦ及びこれに対応するライセンス情報を用いて解読し、当該解読後の内容を有する素材情報を出力情報Ｓｏｕｔとしてデマルチプレクサ３へ出力する。
【００６５】
次に、デマルチプレクサ３は、権利管理保護部９から出力されてきた出力情報Ｓｏｕｔに含まれている各素材情報のうち、音情報のみにより構成される素材情報を音情報Ｓａｄとしてオーディオデコーダ５へ出力し、動画像情報及びこれに対応した音情報により構成される素材情報を動画像情報Ｓｍｖとしてビデオデコーダ４へ出力し、更に音情報又は動画像情報以外の、いわゆるデータ放送のためのデジタルデータのみにより構成される素材情報をデータ情報Ｓｄａとしてデータデコーダ６へ出力する。
【００６６】
そして、オーディオデコーダ５は、上記音情報Ｓａｄを復号して復号音情報Ｓａｄｏを生成し、外部の図示しないスピーカ等に対して出力する。
【００６７】
また、ビデオデコーダ４は、上記動画像情報Ｓｍｖを復号して復号動画像情報Ｓｄｍｖを生成し、グラフィックス部１７へ出力する。
【００６８】
更に、データデコーダ６は、上記データ情報Ｓｄａを復号して復号データ情報Ｓｄｄａを生成し、ＯＳＤ部１６へ出力する。
【００６９】
一方、復号動画像情報Ｓｄｍｖとして再生・表示される画像に重畳して表示すべき文字情報よりなるメッセージ等（具体的には、例えば、後述する警告表示画面用のメッセージ等）があるときは、当該メッセージ等がマイコン１０において生成され、メッセージ情報ＳｍｓｇとしてＯＳＤ部１６へ出力される。
【００７０】
これにより、ＯＳＤ部１６は、復号動画像情報Ｓｄｍｖとして再生・表示される画像に上記メッセージ等を必要に応じて重畳し、再生結果として表示すべき表示画面に対応する表示画面情報Ｓｏｓｄを生成し、グラフィックス部１７へ出力する。
【００７１】
そして、グラフィックス部１７は、上記復号動画像情報Ｓｄｍｖに対応する画像に表示画面情報Ｓｏｓｄに対応する表示画面を重畳し、更に複数画像同時表示のための処理等を行って表示信号Ｓｍｖｏを生成し、外部の図示しないモニタに出力して当該表示信号Ｓｍｖｏに対応する動画像を表示させる。
【００７２】
ここで、上記モデム部８と外部のプロバイダサーバＳＶとの間で実行される情報の授受、及び権利管理保護部９と保護チップ１５Ａとの間で実行される情報の授受について、更に詳細に説明する。
【００７３】
上記各情報の授受においては、「セッション」なる概念が用いられる。すなわち、モデム部８と外部のプロバイダサーバＳＶとの間、又は権利管理保護部９と保護チップ１５Ａとの間で情報の授受を夫々行う場合には、夫々の授受の直前に、正規に接続されるべき装置同士であるとしてお互いを認証し合ういわゆる認証処理が実行される。そして、一回の認証処理により有効とされた情報の授受が上記セッションに当たる。更に、各セッションを有効とする認証処理において用いられる認証情報（いわゆるセッションライセンス）は、各セッション毎に異なるものが各装置同士でその時々に生成されて認識される。
【００７４】
また、以下の説明では、モデム部８とプロバイダサーバＳＶとの間において実行されるセッションを第１セッションと称し、権利管理保護部９と保護チップ１５Ａとの間において実行されるセッションを第２セッションと称する。
【００７５】
（Ａ）コンテンツダウンロード処理の実施形態
次に、上述した構成及び動作を有する情報記録再生装置において実行される、本発明に係るコンテンツのダウンロード処理について、図３を用いて説明する。なお、以下に説明するダウンロード処理においては、上記したデジタル放送受信部２を介して、ハードディスク１に記録すべき素材情報（以下、適宜コンテンツと称する）を複数含むＡＶ情報を取得して当該ハードディスク１に記録する場合の処理について説明する。
【００７６】
また、図３は、当該ダウンロード処理を示すフローチャートである。
【００７７】
図３に示すように、当該ダウンロード処理においては、初めに、当該ダウンロード元であるデジタル放送の送信元との通信を開始する（ステップＳ１、Ｓ２）。このとき、当該接続処理においては、その対象となる放送元とデジタル放送受信部２との間では、上記セッションに類する認証処理は何ら行われず、相互に通信が開始される。
【００７８】
そして、通信が開始されると（ステップＳ２；ＹＥＳ）、当該放送元とデジタル放送受信部２との間で所望されるコンテンツが選択され（ステップＳ３）、更にその選択されたコンテンツ（この段階では上述したように暗号化されている）がデジタル放送受信部２を介してデマルチプレクサ３へ出力される。この後、当該デマルチプレクサにおいて各コンテンツ（素材情報）が分離され、素材情報Ｓｉｎとして権利管理保護部９を介してハードディスクドライブ装置１５内のハードディスク１に記録される（ステップＳ４）。このとき、当該記録されるコンテンツは、上記したパケットに分割されて伝送・記録されるのであり、各パケットには、そのパケットを他のパケットから識別するためのパケット識別情報が付加されて伝送・記録される。
【００７９】
一方、ステップＳ２の判定において、通信が開始されないときは（ステップＳ２；ＮＯ）、現状ではコンテンツのダウンロード処理が正常に実行できないとして、そのまま当該ダウンロード処理を終了する。
【００８０】
次に、当該ダウンロード処理の実行中においては、所望されるコンテンツのダウンロード処理が完了したか否かが常に監視されており（ステップＳ５）、完了したことが検出されたときは（ステップＳ５；ＹＥＳ）、そのままダウンロード処理を完了する。
【００８１】
他方、ステップＳ５の判定において、必要なコンテンツのダウンロード処理が完了していないときは（ステップＳ５；ＮＯ）、更に、当該ダウンロード処理を中断する旨の処理がフロントパネル部１８において実行されたか否かが確認され（ステップＳ６）、当該中断のための処理が為されているときは（ステップＳ６；ＹＥＳ）そのままダウンロード処理を完了し、一方、中断のための処理が為されていないときは（ステップＳ６；ＮＯ）、再び上記ステップＳ４に戻ってダウンロード処理を継続する。
【００８２】
（Ｂ）ライセンスダウンロード処理の実施形態
次に、上述したコンテンツダウンロード処理によってハードディスク１に暗号化されて記録されているコンテンツの当該暗号化を解読するためのライセンス情報及びこれに対応するライセンス情報等を取得するライセンスダウンロード処理について、図４を用いて説明する。なお、図４は当該ライセンスダウンロード処理を示すフローチャートである。
【００８３】
図４に示すように、当該ライセンスダウンロード処理においては、初めに、上記プロバイダサーバＳＶとモデム部８との間で通信を開始する（ステップＳ１０、Ｓ１１）。
【００８４】
そして、何らかの理由で通信が正常に開始されないときは（ステップＳ１１；ＮＯ）そのままでは正常にライセンス情報等が取得できないとしてそのまま図４に係るダウンロード処理を完了し、一方、正常に通信が開始されたときは（ステップＳ１１；ＹＥＳ）、次に、プロバイダサーバＳＶとモデム部８との間で、ライセンス情報等を当該プロバイダサーバＳＶから取得するために必要な相互認証処理を行う（ステップＳ１２）。
【００８５】
そして、正常に認証処理が実行され第１セッションが開始されると、次に、権利管理保護部９と保護チップ１５Ａとの間で、ライセンス情報等を相互に授受するために必要な相互認証処理を行う（ステップＳ１３）。
【００８６】
次に、上記権利管理保護部９と保護チップ１５Ａとの間における相互認証処理が完了したか否かを確認し（ステップＳ１４）、正常に完了していないときは（ステップＳ１４；ＮＯ）、以後の処理においてライセンス情報等の保全が図り得ないとしてそのままライセンスダウンロード処理を終了する。一方、相互認証処理が正常に完了したときは（ステップＳ１４；ＹＥＳ）、次に、権利管理保護部９と保護チップ１５Ａとの間における第２セッションを開始する（ステップＳ１５）。
【００８７】
そして、正常に第２セッションが開始されると、次に、上記ステップＳ１２における相互認証処理が完了しているか否かを確認し（ステップＳ１６）、正常に完了していないときは、以後の処理においてライセンス情報等の保全が図り得ないとしてそのままライセンスダウンロード処理を終了する。一方、当該相互認証処理が正常に完了したときは（ステップＳ１６；ＹＥＳ）、上記第１セッションを開始し（ステップＳ１７）、当該プロバイダサーバＳＶから必要なライセンス情報及びライセンス管理情報ＣＩＦをダウンロードする処理を実行する（ステップＳ１８）。このとき、当該ダウンロード処理されたライセンス情報等は、上述したように権利管理保護部９を介して保護チップ１５Ａ内に格納される。ここで、当該保護チップ１５Ａ内のライセンス管理情報ＣＩＦの格納形態は上記図１に示した態様となる。
【００８８】
次に、当該ダウンロード処理の実行中においては、所望されるライセンス情報等のダウンロード処理が完了したか否かが常に監視されており（ステップＳ１９）、完了したことが検出されたときは（ステップＳ１９；ＹＥＳ）、上記第１セッション及び第２セッションを夫々停止してダウンロード処理を完了する。
【００８９】
他方、ステップＳ１９の判定において、必要なライセンス情報等のダウンロード処理が完了していないときは（ステップＳ１９；ＮＯ）、更に、当該ダウンロード処理を中断する旨の処理がフロントパネル部１８において実行されたか否かが確認され（ステップＳ２０）、当該中断のための処理が為されているときは（ステップＳ２０；ＹＥＳ）そのままダウンロード処理を完了し、一方、中断のための処理が為されていないときは（ステップＳ２０；ＮＯ）、再び上記ステップＳ１８に戻ってダウンロード処理を継続する。
【００９０】
（ｃ）再生処理の実施形態
次に、上述したコンテンツダウンロード処理によってハードディスク１に暗号化されて記録されているコンテンツを、上述したライセンスダウンロード処理により保護チップ１５Ａ上に格納されているライセンス情報及びこれに対応するライセンス管理情報ＣＩＦを用いて解読しつつ再生する再生処理について、図５乃至図９を用いて説明する。なお、図５乃至図７は当該再生処理を示すフローチャートであり、図８及び図９は、当該再生処理の実行中において図示しない上記モニタに表示される画面例を夫々示す図である。
【００９１】
図５に示すように、当該再生処理においては、初めに、マイコン１０及びＯＳＤ部１６等の機能により、図示しないモニタ上に図８（ａ）に示す如きＡＶ情報の選択画面Ｇ１を表示する（ステップＳ２５）。ここで、図８（ａ）は、現在ハードディスク１上に四つのＡＶ情報が記録されており、その内の二番目のＡＶ情報が選択されていることを示している。なお、図８（ａ）におけるＡＶ情報は、これまでの説明における素材情報としてのコンテンツが夫々に「ビュー」として含まれているもの（例えば、当該ＡＶ情報は一本の映画等であり、図８（ａ）では、題名が「○○」又は「××」等の映画がＡＶ情報として記録されていることが例示されている）を示している。
【００９２】
選択画面Ｇ１が表示されると、次に、当該表示されている選択画面Ｇ１内においていずれかのＡＶ情報が選択されたか否かが判断され（ステップＳ２６）、いずれのＡＶ情報も選択されていないときは（ステップＳ２６；ＮＯ）、いずれかのＡＶ情報が選択されるまで待機し、一方、いずれかのＡＶ情報が選択されたときは（ステップＳ２６；ＹＥＳ）、次に、その選択されたＡＶ情報を構成するビュー（すなわち、上記コンテンツ）毎に、夫々のビューに対応するサムネイル画面を複数同時に上記モニタに表示すべく各デコーダ等を制御する（ステップＳ２７）。
【００９３】
そして、ステップＳ２６において選択されたＡＶ情報に含まれているコンテンツ内に、その再生に当たって上記ライセンス情報等を用いた解読処理が必要なものが含まれているか否かを確認し（ステップＳ２８）、当該解読処理が必要なものが含まれているときは（ステップＳ２８；ＹＥＳ）、後ほど図６を用いて説明する処理に移行し、一方、その選択されたＡＶ情報に含まれているコンテンツがいずれも解読処理が必要でないものであるときは（すなわち、選択されたＡＶ情報が暗号化されたものでないとき。ステップＳ２８；ＮＯ）、次に、その選択されたＡＶ情報を復号すべく上記各デコーダを制御する（ステップＳ２９）。
【００９４】
そして、フロントパネル部１８において再生を停止する旨の処理が為されたか否かを確認し（ステップＳ３０）、当該操作が為されているときは（ステップＳ３０；ＹＥＳ）そのまま実施形態の再生処理を終了し、一方、再生停止操作が為されていないときは（ステップＳ３０；ＮＯ）、次に、その再生すべきＡＶ情報をハードディスク１から検出し（ステップＳ３１）、上記制御された各デコーダ等を用いて再生処理を実行する（ステップＳ３２）。
【００９５】
次に、再生処理の実行中においては、再生すべきＡＶ情報の最後まで再生が完了したか否かが常に監視されており（ステップＳ３３）、完了したときは（ステップＳ３３；ＹＥＳ）そのまま実施形態に係る再生処理を終了し、一方、未だ再生処理の途中であるときは（ステップＳ３３；ＮＯ）、上記ステップＳ３０に戻って必要な再生処理を継続する。
【００９６】
次に、上記ステップＳ２８の判定において、選択されたＡＶ情報に、その再生に当たって上記ライセンス情報等を用いた解読処理が必要なコンテンツが含まれている場合（ステップＳ２８；ＹＥＳ）の処理について、図６を用いて説明する。
【００９７】
選択されたＡＶ情報の再生に当たって当該解読処理が必要な場合、初めに、そのＡＶ情報内に含まれているコンテンツのうち当該解読処理が必要なコンテンツの数を示すパラメータＬＮを、対応するライセンス管理情報ＣＩＦ内の総合情報ＧＩから取得し（ステップＳ３４）、更に、当該解読処理が必要なコンテンツの番号を示すパラメータｉを初期化する（ステップＳ３５）。
【００９８】
次に、再生すべきＡＶ情報内の暗号化されたコンテンツを解読するために必要なライセンス情報等を取得するための上記第２セッションを行う際の準備として権利管理保護部９と保護チップ１５Ａとの間で上記相互認証処理を行い（ステップＳ３６）、その相互認証処理が正常に完了したか否かを確認する（ステップＳ３７）。そして、正常に完了していないときは（ステップＳ３７；ＮＯ）そのまま後述するステップＳ４０に移行し、一方、正常に完了したときは（ステップＳ３７；ＹＥＳ）、次に、ｉ番目のコンテンツを解読するためのライセンス情報等を取得すべく、当該ライセンス情報に対応するｉ番目の第２セッションを有効として開始し（ステップＳ３８）、更に当該第２セッションにおいてｉ番目のコンテンツを解読するためのライセンス情報等を権利管理保護部９において保護チップ１５Ａ上から取得する（ステップＳ３９）。
【００９９】
そして、現在のパラメータｉの値が上記取得してあるパラメータＬＮの値以上の値であるか否かを確認し（ステップＳ４０）、パラメータｉの値がパラメータＬＮの値以上の値でないときは（ステップＳ４０；ＮＯ）、次の番号のコンテンツを解読するためのライセンス情報を取得すべく、当該パラメータｉを「１」だけインクリメントし（ステップＳ６０）、そのインクリメント後の値に基づいて上述したステップＳ３６以後の処理を繰り返す。
【０１００】
一方、ステップＳ４０の判定において、パラメータｉの値がパラメータＬＮの値以上の値であるときは（ステップＳ４０；ＹＥＳ）、現在再生すべきとされているＡＶ情報内の解読すべきコンテンツの数だけ必要なライセンス情報等が取得済みであるとして、次に、取得したライセンス情報等を用いてコンテンツを解読・復号するべく各デコーダを設定し（ステップＳ４１）、更に、当該設定に基づいて上記モニタ等に今後解読する各コンテンツに対応するサムネイル画像を表示する。
【０１０１】
そして、当該各コンテンツのうち、現在その解読が許可されていないコンテンツがあることが上記取得したライセンス情報等から判定されるときは、その解読が許可されていないコンテンツに対応する警告表示を、マイコン１０及びＯＳＤ部１６頭を用いて上記モニタ上に出力する（ステップＳ４２）。
【０１０２】
ここで、上記ステップＳ４２において表示される警告表示画面について、図８（ｂ）を用いて例示する。
【０１０３】
当該警告表示用の警告表示画面Ｇ２としては、図８（ｂ）に示すように、解読が許可されているコンテンツを示すサムネイル画像については、図８（ｂ）におけるサムネイル画像Ｃ１又はＣ２の如く夫々のサムネイル画像そのものが表示されるが、解読が許可されていないコンテンツを示すサムネイル画像としては、当該サムネイル画像そのものではなく、図８（ｂ）にサムネイル画像Ｃ３として示す如くそのコンテンツを再生するためには別途ライセンス情報を購入して取得しておく必要がある旨のメッセージが、マイコン１０及びＯＳＤ部１６等の機能により表示される。
【０１０４】
そして、必要な警告表示が実行されると、次に、当該解読が許可されていないコンテンツを示すサムネイル画像を、その表示領域ごと非表示とし（ステップＳ４３）、実際の解読処理等に移行する。このとき、当該ステップＳ４３において上記モニタ上に表示される画面例としては、例えば図８（ｃ）に表示画面Ｇ３として示すように、解読可能なコンテンツを示すサムネイル画像Ｃ１及びＣ２のみが表示されることとなる。
【０１０５】
次に、実際の解読処理の細部について、図７を用いて説明する。
【０１０６】
当該解読処理においては、図７に示すように、先ず、フロントパネル部１８において再生処理を停止する旨の操作が実行されたか否かがマイコン１０において確認され（ステップＳ４４）、当該停止する旨の操作が為されているときは（ステップＳ４４；ＹＥＳ）そのまま再生処理を終了する。
【０１０７】
一方、ステップＳ４４の判定において、再生停止の操作が為されていないときは（ステップＳ４４；ＮＯ）、次に、暗号化された状態のコンテンツを含む再生すべきＡＶ情報をハードディスク１から取得し（ステップＳ４５）、ｉ番目のライセンス情報等により解読が許可されているコンテンツ内の当該解読が許可されているパケットのみをライセンス管理情報ＣＩＦを用いて選別して権利管理保護部９内の図示しない解読部に伝送し（ステップＳ４６）、更に、当該解読部において、ｉ番目のライセンス情報等を用いて伝送されてきたパケット毎にコンテンツを解読する（ステップＳ４７）。
【０１０８】
そして、解読したパケットを含むコンテンツを各デコーダを用いてデコードして上記モニタ又は上記スピーカへ出力して再生処理を行う（ステップＳ４８）。このとき、当該再生処理中においては、再生すべきＡＶ情報を全て再生したか否かが常に監視されており（ステップＳ４９）、その再生が完了したときは（ステップＳ４９；ＹＥＳ）そのまま実施形態に係る再生処理を終了する。
【０１０９】
一方、全ての再生が完了していないときは（ステップＳ４９；ＮＯ）、次に、取得済みのライセンス情報等に基づいて、各コンテンツの再生の進行に伴い、ライセンス情報等が無効となる各コンテンツの部分、すなわち、各パケット毎に解読の可否を判断する場合において、それまでに再生済みのコンテンツの部分は解読が許可されていたが、そのとき以降に再生されるべきコンテンツの部分は解読が未だ許可されていないときのその解読が許可されていないコンテンツの部分及びそのコンテンツの部分に対応するライセンス情報等があるか否かが判定される（ステップＳ５０）。
【０１１０】
そして、ステップＳ５０の判定において無効なライセンス情報等が無いときは（ステップＳ５０；ＮＯ）、引き続き上記ステップＳ４４に戻って再生処理を継続する。
【０１１１】
一方、ステップＳ５０の判定において、無効なライセンス情報等があるときは（ステップＳ５０；ＹＥＳ）、その無効となったライセンス情報等の番号ｊを取得し（ステップＳ５１）、更に当該無効となったｊ番目のライセンス情報等に対応するコンテンツの部分の解読を行わない旨の設定を各デコーダにおいて実行する（ステップＳ５２）。
【０１１２】
そして、当該無効となったコンテンツの部分ある旨の警告表示を、マイコン１０及びＯＳＤ部１６頭を用いて上記モニタ上に出力する（ステップＳ５３）。
【０１１３】
ここで、上記ステップＳ５３において表示される警告表示画面について、図９（ａ）を用いて例示する。
【０１１４】
当該警告表示用の警告表示画面Ｇ４としては、図９（ａ）に示すように、解読が引き続き許可されているコンテンツを示すサムネイル画像については、図９（ａ）におけるサムネイル画像Ｃ１の如くサムネイル画像そのものが表示されるが、解読が新たに不許可となったコンテンツの部分を示すサムネイル画像としては、当該サムネイル画像そのものではなく、図９（ａ）にサムネイル画像Ｃ４として示す如くそのコンテンツを再生するためには継続分のライセンス情報を購入して取得しておく必要がある旨のメッセージが、マイコン１０及びＯＳＤ部１６等の機能により表示される。
【０１１５】
そして、必要な警告表示が実行されると、次に、当該解読が許可されなくなったコンテンツの部分を示すサムネイル画像を、その表示領域ごと非表示とし（ステップＳ５４）、上記ステップＳ４４の処理に移行する。このとき、当該ステップＳ５４において上記モニタ上に表示される画面例としては、例えば図９（ｂ）に表示画面Ｇ５として示すように、引き続いて解読可能なコンテンツを示すサムネイル画像Ｃ１のみが表示されることとなる。
【０１１６】
以上説明したように、実施形態の情報記録再生装置Ｓの動作によれば、各コンテンツ毎に対応しているライセンス情報等を用いて当該コンテンツ毎に暗号化を解読して再生するので、使用者がその再生を所望するコンテンツを解読するためのライセンス情報等のみを取得して保護チップ１５Ａに記録しておくことにより、当該使用者が所望するコンテンツ毎に暗号化を解読するか否かを選択することができ、当該使用者における再生すべきコンテンツについての選択肢を増やすことができると共に、暗号化されたコンテンツを再生するためのライセンス情報等の取得に関する費用を効率的に用いて当該コンテンツを含むＡＶ情報を再生することができる。
【０１１７】
また、コンテンツが暗号化されて記録されているので、当該コンテンツ並びにそれを含むＡＶ情報の不法取得及び不法再生を効果的に防止することができる。
【０１１８】
更に、各コンテンツを構成するパケット毎に暗号化の解読が実行されるので、一のコンテンツ内におけるパケット毎に暗号化の解読の可否を選択でき、より幅広い選択肢をもってＡＶ情報の再生態様を選択することができる。
【０１１９】
（ＩＩＩ）変形形態
次に、本発明の変形形態について、図１０及び図１１を用いて説明する。
【０１２０】
先ず、第一の変形形態について図１０を用いて説明する。
【０１２１】
上記図１において説明したライセンス識別子の形態につき、実施形態におけるライセンス識別子ＬＥＲ以外に、一のライセンス情報等を用いて解読されるべき各パケットが一つの群を為してハードディスク１上に記録されている場合には、その群（図１０（ａ）において、単位素材情報群としての「解読コンテンツ群」と示す）を識別する識別情報を含んでライセンス識別子ＬＥＲ’を構成しても良い。この場合は、当該ライセンス識別子ＬＥＲ’は、図１に示すライセンス識別子ＬＥＲと同様のライセンスパス情報ＬＰ、ライセンス有効範囲開始位置情報ＳＴ、ライセンス有効範囲終了位置情報ＥＮ及び解読コンテンツ種類情報ＣＧに加えて、当該ライセンス情報等を用いて解読されるパケットを含む群を識別するための解読コンテンツ群識別情報ＧＩＤを含んで構成されることとなる。
【０１２２】
また、この他に、実施形態のライセンス識別子ＬＥＲ以外に、一のライセンス情報等を用いて解読されるべき各パケットが、上記トランスポートストリームに一又は複数含まれているＭＰＥＧプログラム内に含まれてハードディスク１上に記録されている場合には、そのＭＰＥＧプログラムを識別する識別情報（上記トランスポートストリームが則るべき規格においては、例えばサービス識別子（サービスＩＤ）と称されている）を含んでライセンス識別子ＬＥＲ”を構成しても良い。ここで、ＭＰＥＧプログラムとは、ハードディスク１上においてＡＶ情報により構成される上述してきたプログラムとは異なり、配信時のフォーマットであるトランスポートストリーム内に予め含まれているＭＰＥＧプログラムである。
【０１２３】
更に、この場合は、当該ライセンス識別子ＬＥＲ”は、図１に示すライセンス識別子ＬＥＲと同様のライセンスパス情報ＬＰ、ライセンス有効範囲開始位置情報ＳＴ、ライセンス有効範囲終了位置情報ＥＮ及び解読コンテンツ種類情報ＣＧに加えて、当該ライセンス情報等を用いて解読されるＭＰＥＧプログラムを識別するための識別情報としてのサービス識別子ＳＩＤを含んで構成されることとなる。
【０１２４】
以上説明した第一の変形形態によれば、複数のパケットにより構成される群毎に暗号化の解読を実行する場合には、各群毎に暗号化の解読の可否を選択でき、ライセンス情報等自体の情報量を低減することと幅広い選択肢をもってＡＶ情報の再生態様を選択することとを両立することができる。
【０１２５】
また、ＭＰＥＧプログラム毎に暗号化を解読する場合には、ＭＰＥＧプログラム毎に暗号化の解読の可否を選択でき、ＡＶ情報の放送の態様に適合させて解読すべきコンテンツを選択することができる。
【０１２６】
次に、第二の変形形態について図１１を用いて説明する。
【０１２７】
上記図１において説明したライセンス識別子の形態につき、実施形態におけるライセンス識別子ＬＥＲ内の各解読パケット識別子ＰＩＤを上記ライセンス情報内に含ませるように構成することもできる。
【０１２８】
より具体的には、先ず、図１に示す実施形態に係るライセンス識別子ＬＥＲに代わるライセンス識別子ＬＥＲ”’を、図１１（ａ）に示す如く形成してライセンス管理情報ＣＩＦ内に含ませる。このとき、当該ライセンス識別子ＬＥＲ”’としては、当該ライセンス識別子ＬＥＲと同様のライセンスパス情報ＬＰ、ライセンス有効範囲開始位置情報ＳＴ及びライセンス有効範囲終了位置情報ＥＮに加えて、当該ライセンス識別子ＬＥＲ”’を含むライセンス情報のハードディスク１上の格納位置を示すライセンス格納位置情報ＬＤＳＴと、当該ライセンス情報の情報量を示すライセンス情報長情報ＬＤＬと、を含んで構成されることとなる。
【０１２９】
また、この場合のライセンス情報自体としては、図１１（ｂ）にライセンス情報ＬＤとして示すように、当該ライセンス情報ＬＤの本体であり対応するコンテンツの暗号化を解読するために用いられる解読鍵情報ＫＹに加えて、実施形態のライセンス識別子ＬＥＲと同様の解読コンテンツ種類情報ＣＧ及び解読パケット数情報ＰＮ並びに当該解読鍵情報ＫＹを用いて解読されるコンテンツに含まれているパケット夫々を識別するための解読パケット識別子ＰＩＤにより構成されることとなる。
【０１３０】
以上説明したように、第二の変形形態によれば、解読されるべきパケットを示す解読パケット識別子ＰＩＤ自体が暗号化されて記録されているので、ＡＶ情報内のコンテンツの不法取得及び不法再生を更に効果的に防止することができる。
【０１３１】
なお、上述した第二の変形形態において、各解読パケット識別子ＰＩＤに代えて上述の第一の変形形態と同様の解読コンテンツ群識別情報ＧＩＤ又はサービス識別子ＳＩＤをライセンス情報ＬＤ内に含ませても良い。
【０１３２】
また、上述した実施形態及び各変形形態においては、ライセンス情報等は一度保護チップ１５Ａ内に格納された後はその後の経過時間に無関係に有効とされているが、これ以外に、例えば、保護チップ１５Ａに格納後予め設定されている一定の期間のみ当該ライセンス情報等を有効とし、その期間を越えた後は全てのライセンス情報を無効とする（すなわち、全ての暗号化されたコンテンツの解読を不可能とする）こととしても良い。
【０１３３】
更にまた、期間によりライセンス情報等の有効／無効を判断するのではなく、対象となるコンテンツの解読／再生回数により、予め設定された回数の解読／再生処理が為された後は、そのコンテンツを解読するために用いられるライセンス情報等を全て無効とするように構成することもできる。
【０１３４】
また、図３乃至図７にフローチャートに対応するプログラムを、フレキシブルディスクに予め記録しておき、或いはインターネット等のネットワークを介して予め取得して記録しておき、これを汎用のマイクロコンピュータ等により読み出して実行することにより、当該汎用のマイクロコンピュータ等を実施形態に係るマイコン１０として機能させることも可能である。
【０１３５】
以上、夫々説明したように、実施形態及び変形形態に係る情報記録再生装置の動作によれば、各コンテンツ毎に対応しているライセンス情報等を取得し、これらを用いて当該コンテンツ毎に暗号化を解読して再生するので、使用者がその再生を所望するコンテンツを解読するためのライセンス情報等のみを取得して保護チップに記録しておくことにより、当該使用者が所望するコンテンツ毎に暗号化を解読するか否かを選択することができ、当該使用者における再生すべきコンテンツについての選択肢を増やすことができると共に、暗号化されたコンテンツを再生するためのライセンス情報等の取得に関する費用を効率的に用いて当該コンテンツを含むＡＶ情報を再生することができる。
【図面の簡単な説明】
【図１】ＡＶ情報の論理フォーマットを示す図である。
【図２】実施形態の情報記録再生装置の概要構成を示すブロック図である。
【図３】実施形態のコンテンツダウンロード処理を示すフローチャートである。
【図４】実施形態のライセンスダウンロード処理を示すフローチャートである。
【図５】実施形態の再生処理を示すフローチャート（Ｉ）である。
【図６】実施形態の再生処理を示すフローチャート（ＩＩ）である。
【図７】実施形態の再生処理を示すフローチャート（ＩＩＩ）である。
【図８】実施形態における表示画面を例示する図（Ｉ）であり、（ａ）は選択画面の例であり、（ｂ）はサムネイル画面の例（ｉ）であり、（ｃ）はサムネイル画面の例（ｉｉ）である。
【図９】実施形態における表示画面を例示する図（ＩＩ）であり、（ａ）はサムネイル画面の例（ｉｉｉ）であり、（ｂ）はサムネイル画面の例（ｉｖ）である。
【図１０】第一の変形形態に係る論理フォーマットを示す図であり、（ａ）は当該論理フォーマットを示す図（ｉ）であり、（ｂ）は当該論理フォーマットを示す図（ｉｉ）である。
【図１１】第二の変形形態に係る論理フォーマットを示す図であり、（ａ）は当該論理フォーマットを示す図（ｉ）であり、（ｂ）は当該論理フォーマットを示す図（ｉｉ）である。
【符号の説明】
１…ハードディスク
２…デジタル放送受信部
３…デマルチプレクサ
４…ビデオデコーダ
５…オーディオデコーダ
６…データデコーダ
７…デジタルインターフェース
８…モデム部
９…権利管理保護部
１０…マイコン
１１…アナログ放送受信部
１２…ビデオエンコーダ
１３…オーディオエンコーダ
１４…マルチプレクサ
１５Ａ…保護チップ
１５…ハードディスクドライブ装置
１６…ＯＳＤ部
１７…グラフィックス部
１８…フロントパネル部
ＣＩＦ…ライセンス管理情報
ＭＩ…マネージメント情報
ＤＰＳＩ…初期プログラムセット情報
ＤＦＴＮ…ベンダ定義サムネイル画像情報
ＵＤＰＭ…使用者定義プログラムセット管理情報
ＵＤＴＮ…使用者定義サムネイル画像情報
ＰＩＦ…プログラム情報
ＡＶＤ…ＡＶストリーム情報
ＡＣＵＲ…アクセスユニット参照情報
ＣＩＦ…ライセンス管理情報
ＩＤＸ…ベンダ定義インデックス
ＴＭＮ…予備サムネイル画像情報
ＵＤＩＦ１…第１使用者定義プログラムセット情報
ＵＤＩＦｎ…第ｎ使用者定義プログラムセット情報
ＬＥＲ１…第１ライセンス識別子
ＬＥＲ２…第２ライセンス識別子
ＬＥＲｎ…第ｎライセンス識別子
ＬＥＲ’、ＬＥＲ”，ＬＥＲ”’…ライセンス識別子
ＧＩ…管理情報
ＥＩＰ…暗号識別子情報
ＫＬ…キー長情報
ＮＭ…ライセンス識別子数情報
ＬＰ…ライセンスパス情報
ＳＴ…ライセンス有効範囲開始位置情報
ＥＮ…ライセンス有効範囲終了位置情報
ＣＧ…解読コンテンツ種類情報
ＰＮ…解読パケット数情報
ＰＩＤ…解読パケット識別子
Ｓ…情報記録再生装置
ＡＴ１、ＡＴ２…アンテナ
ＳＶ…プロバイダサーバ
Ｇ２、Ｇ４…警告表示画面
Ｃ１、Ｃ２、Ｃ３…サムネイル画像
Ｇ３、Ｇ５…表示画面
Ｇ１…選択画面
ＧＩＤ…解読コンテンツ群識別情報
ＳＩＤ…サービス識別子
ＬＤＳＴ…ライセンス格納位置情報
ＬＤＬ…ライセンス情報長情報
ＫＹ…解読鍵情報
【図１】
2004063001.tif 000003
【図２】
2004063001.tif 000004
【図３】
2004063001.tif 000005
【図４】
2004063001.tif 000006
【図５】
2004063001.tif 000007
【図６】
2004063001.tif 000008
【図７】
2004063001.tif 000009
【図８】
2004063001.tif 000010
【図９】
2004063001.tif 000011
【図１０】
2004063001.tif 000012
【図１１】
2004063001.tif 000013
【手続補正書】
【提出日】平成14年8月2日(2002.8.2)
【手続補正２】
【補正対象書類名】図面
【補正対象項目名】図１
【補正方法】変更
【補正の内容】
【図１】
2004063001.tif 000014
【手続補正３】
【補正対象書類名】図面
【補正対象項目名】図２
【補正方法】変更
【補正の内容】
【図２】
2004063001.tif 000015
【手続補正４】
【補正対象書類名】図面
【補正対象項目名】図８
【補正方法】変更
【補正の内容】
【図８】
2004063001.tif 000016
【手続補正５】
【補正対象書類名】図面
【補正対象項目名】図９
【補正方法】変更
【補正の内容】
【図９】
2004063001.tif 000017
【手続補正６】
【補正対象書類名】図面
【補正対象項目名】図１０
【補正方法】変更
【補正の内容】
【図１０】
2004063001.tif 000018
【手続補正７】
【補正対象書類名】図面
【補正対象項目名】図１１
【補正方法】変更
【補正の内容】
【図１１】
2004063001.tif 000019